(57)【特許請求の範囲】
【請求項１】
スピーカに対して音声信号を供給して音声を再生するオーディオ機器と、
前記オーディオ機器に接続される外部アダプタと、
前記外部アダプタに対して着脱自在に装着される携帯電話機と、
を有し、前記携帯電話機からの音声信号を前記外部アダプタを介して前記オーディオ機器で再生するようになし、
しかも前記外部アダプタが制御手段を備え、前記外部アダプタに対する前記携帯電話機の着脱に連動して前記制御手段が前記オーディオ機器の状態を変化させ、
前記外部アダプタの前記オーディオ機器の状態を変化させる動作を有効と無効とに選択する選択手段を設けたことを特徴とするオーディオ装置。
【請求項２】
前記外部アダプタに前記携帯電話機を装着したときに前記外部アダプタの制御手段によって前記オーディオ機器の電源が自動的に投入されることを特徴とする請求項１に記載のオーディオ装置。
【請求項３】
前記外部アダプタに前記携帯電話機を装着したときに前記外部アダプタの制御手段によって前記オーディオ機器のファンクションを前記携帯電話機のオーディオソースの音声信号を再生するファンクションに自動的に変更することを特徴とする請求項１に記載のオーディオ装置。
【請求項４】
前記外部アダプタから前記携帯電話機を取外したときに前記外部アダプタの制御手段によって前記オーディオ機器のファンクションを変更して前記携帯電話機のオーディオソースの音声信号の再生を停止することを特徴とする請求項１に記載のオーディオ装置。
【請求項５】
前記外部アダプタから前記携帯電話機を取外したときに前記外部アダプタの制御手段によって前記オーディオ機器の電源を自動的に遮断することを特徴とする請求項１に記載のオーディオ装置。
【請求項６】
前記外部アダプタの制御手段によって前記オーディオ機器のモニタ上に前記携帯電話機の操作ガイドが画像表示されることを特徴とする請求項１に記載のオーディオ装置。
【請求項７】
スピーカに対して音声信号を供給して音声を再生するオーディオ機器と、
前記オーディオ機器に接続される外部アダプタと、
前記外部アダプタに対して着脱自在に装着される携帯電話機と、
を具備し、前記携帯電話機からのオーディオソースの音声信号を前記外部アダプタを介して前記オーディオ機器で再生するようになし、
しかも前記外部アダプタが制御手段を備え、前記オーディオ機器のファンクションが変更されるとそれに連動して前記携帯電話機の状態を変化させ、
前記外部アダプタの制御手段によって前記オーディオ機器のモニタ上に前記携帯電話機の操作ガイドが画像表示されることを特徴とするオーディオ装置。
【請求項８】
前記オーディオ機器のファンクションが前記携帯電話機のオーディオソースの再生のファンクションに切換えられたときに、前記外部アダプタの制御手段が前記携帯電話機を制御して該携帯電話機によるオーディオソースの再生を自動的に開始することを特徴とする請求項７に記載のオーディオ装置。
【請求項９】
前記オーディオ機器のファンクションが前記携帯電話機のオーディオソースの再生のファンクション以外のファンクションに切換えられたときに、前記外部アダプタの制御手段が前記携帯電話機を制御して該携帯電話機のオーディオソースの再生を自動的に停止することを特徴とする請求項７に記載のオーディオ装置。
【請求項１０】
前記オーディオ機器の電源を遮断するときに、前記外部アダプタの制御手段が前記携帯電話機のオーディオソースの再生を自動的に停止することを特徴とする請求項７に記載のオーディオ装置。
【請求項１１】
前記外部アダプタの制御手段によって前記携帯電話機が音楽の再生を行なうときに、前記携帯電話機に取込まれた時点が新しいものから順に音楽の再生が行なわれることを特徴とする請求項７に記載のオーディオ装置。
【請求項１２】
前記外部アダプタがオーディオソースのデータベースを有し、該データベースに取込まれている楽曲リストを購入しようとする楽曲と比較し、購入しようとする楽曲が既に購入されているときには、そのことを知らせることを特徴とする請求項７に記載のオーディオ装置。
【請求項１３】
前記外部アダプタの前記携帯電話機の状態を変化させる動作を有効と無効とに選択する選択手段を設けたことを特徴とする請求項７に記載のオーディオ装置。
【請求項１４】
オーディオ機器と接続されかつ携帯電話機からの信号を前記オーディオ機器に供給する外部アダプタにおいて、
制御手段を有し、該制御手段によって前記携帯電話機の状態の変化に応じて前記オーディオ機器のファンクションまたは状態を変化させ、
しかも前記外部アダプタの前記オーディオ機器の状態を変化させる動作を有効と無効とに選択する選択手段を設けたことを特徴とする外部アダプタ。
【請求項１５】
前記オーディオ機器のファンクションまたは状態の変化が、前記オーディオ機器に対する電源の投入・遮断、または前記携帯電話機のオーディオソースの再生と停止であることを特徴とする請求項１４に記載の外部アダプタ。
【請求項１６】
オーディオ機器に接続されかつ携帯電話機からの信号を前記オーディオ機器に供給する外部アダプタにおいて、
制御手段を有し、該制御手段によって前記オーディオ機器の状態の変化に応じて前記携帯電話機のファンクションまたは状態を変化させ、
しかも前記外部アダプタの制御手段によって前記オーディオ機器のモニタ上に前記携帯電話機の操作ガイドが画像表示されることを特徴とする外部アダプタ。
【請求項１７】
前記携帯電話機のファンクションまたは状態の変化が前記携帯電話機のオーディオソースの再生と停止、または前記携帯電話機に対する電源の投入・遮断であることを特徴とする請求項１６に記載の外部アダプタ。
【請求項１８】
前記携帯電話機のオーディオソースによって楽曲の再生を行なっているときに前記携帯電話機に着信があると、前記外部アダプタの制御手段は前記携帯電話機の着信音のメロディのジャンルを再生中の楽曲のジャンルと異なる音源に変更することを特徴とする請求項１６に記載の外部アダプタ。
【発明の詳細な説明】
【技術分野】
【０００１】
本発明はオーディオ装置およびこのオーディオ装置に用いられる外部アダプタに係り、とくに携帯電話機からの音声信号を外部アダプタを通して再生することができるようにしたオーディオ装置と、このようなオーディオ装置に接続されかつ上記携帯電話機を装着する外部アダプタに関する。
【背景技術】
【０００２】
近年、携帯電話機の搭載機能は次第に拡大強化されており、カメラ機能や、ワンセグ機能、Ｗｅｂブラウザ機能、ＧＰＳ（Ｇｌｏｂａｌ  Ｐｏｓｉｔｉｏｎｉｎｇ  Ｓｙｓｔｅｍ）によるナビゲーション機能、動画再生機能、音楽再生機能等の多くの機能が標準機能として携帯電話機に搭載される傾向にある。中でも音楽の再生機能は、楽曲を丸ごと聴くことができる「着うたフル」（登録商標）や、音楽コンテンツの聴き放題プラン等の提供、さらインターネットを使用してどこでも楽曲のダウンロードができ、料金も携帯電話料金の支払いと同時に行なえ、一般的な携帯ミュージックプレーヤー以上の利便性をユーザに提供している。
【０００３】
これまでの音楽を聴くスタイルは、家庭に大量のＣＤ（Ｃｏｍｐａｃｔ  Ｄｉｓｃ）等オーディオコンテンツを有し、据置き型のオーディオ機器でこのオーディオコンテンツを再生して聴くようにしていた。外出時には一部のオーディオコンテンツ、例えば数枚のＣＤを持出し、携帯ミュージックプレーヤーで聴くスタイルが一般的であった。しかし、上述の如く携帯電話機の音楽再生機能の拡大向上によって、携帯電話機で音楽コンテンツを購入／保管し、外出時でも家庭でも携帯電話機で音楽を聴くスタイルが一般化しつつある。このようなときに、家庭で携帯電話機の音楽コンテンツを再生する場合に、より高品質の音質で聴くために携帯電話機の音声出力端子を据置き型のオーディオ機器に接続して聴くのが一般的である。
【０００４】
図１はこのような例を示しており、オーディオ機器１と、左右一対のスピーカボックス２とから成るオーディオ装置において、携帯電話機３を信号コード４によってオーディオ機器１の音声入力端子に接続して聴くことになる。
【０００５】
このような使用方法は、再生する音楽を選択するために、図２に示すように、携帯電話機３を操作する必要がある。一方で音声のボリュームや左右のバランス等を調整するために、オーディオ機器１のボリュームつまみ５や操作キー６等を操作する必要がある。
【０００６】
上記オーディオ機器１と携帯電話機３との接続を容易にするために、例えば特願２００７−４２９３１号においては、オーディオ機器にクレードルを接続し、このクレードルを介して携帯電話機をオーディオ機器と接続し、携帯電話機の記憶手段に記憶されている楽曲コンテンツをオーディオ機器に供給して再生することが提案されている。しかるにこのようなシステムは、必ずしも使い勝手に優れたシステムではなく、場合によって操作手順が複雑で煩雑である等の欠点を有している。
【特許文献１】特願２００７−４２９３１号
【特許文献２】特開２００３−１６３７２１号公報
【発明の開示】
【発明が解決しようとする課題】
【０００７】
本願発明の課題は、オーディオ機器と接続された外部アダプタを用いて、携帯電話機内に保持されている楽曲コンテンツ等の音声信号をオーディオ機器に供給し、このオーディオ機器によって再生するようにしたオーディオ装置を提供することである。
【０００８】
本願発明の別の課題は、オーディオ機器に対して音声信号と制御データのやり取りをするための外部アダプタを接続し、この外部アダプタを用いてオーディオ機器を制御することによって、優れた操作性を有するオーディオ装置を提供することである。
【０００９】
本願発明のさらに別の課題は、オーディオ機器に、音声信号と制御データ等をやり取りするための外部アダプタを接続し、この外部アダプタを用いて携帯電話機を制御することで、煩雑な操作を解消して操作性に優れたオーディオ装置を提供することである。
【００１０】
本願発明のさらに別の課題は、オーディオ機器と接続されかつ携帯電話機が装着される外部アダプタに、ユーザが操作手順の削減を行ない得るような様々な機能を付加するようにしたオーディオ装置を提供することである。
【００１１】
本願発明のさらに別の課題は、オーディオ機器側のコストアップを最小限にしながらしかもユーザの利便性を向上させる外部アダプタを接続し、この外部アダプタを介して携帯電話機の音声信号をオーディオ機器に供給して再生するようにしたオーディオ装置を提供することである。
【００１２】
本願発明の上記の課題および別の課題は、以下に述べる本願発明の技術的思想およびその実施の形態によって明らかにされる。
【課題を解決するための手段】
【００１３】
本願の主要な発明は、スピーカに対して音声信号を供給して音声を再生するオーディオ機器と、
前記オーディオ機器に接続される外部アダプタと、
前記外部アダプタに対して着脱自在に装着される携帯電話機と、
を有し、前記携帯電話機からの音声信号を前記外部アダプタを介して前記オーディオ機器で再生するようになし、
しかも前記外部アダプタが制御手段を備え、前記外部アダプタに対する前記携帯電話機の着脱に連動して前記制御手段が前記オーディオ機器の状態を変化させ、
前記外部アダプタの前記オーディオ機器の状態を変化させる動作を有効と無効とに選択する選択手段を設けたことを特徴とするオーディオ装置に関するものである。
【００１４】
ここで、前記外部アダプタに前記携帯電話機を装着したときに前記外部アダプタの制御手段によって前記オーディオ機器の電源が自動的に投入されてよい。また前記外部アダプタに前記携帯電話機を装着したときに前記外部アダプタの制御手段によって前記オーディオ機器のファンクションを前記携帯電話機のオーディオソースの音声信号を再生するファンクションに自動的に変更してよい。また前記外部アダプタから前記携帯電話機を取外したときに前記外部アダプタの制御手段によって前記オーディオ機器のファンクションを変更して前記携帯電話機のオーディオソースの音声信号の再生を停止してよい。また前記外部アダプタから前記携帯電話機を取外したときに前記外部アダプタの制御手段によって前記オーディオ機器の電源を自動的に遮断してよい。
【００１５】
また、前記外部アダプタの制御手段によって前記オーディオ機器のモニタ上に前記携帯電話機の操作ガイドが画像表示されてよい。
【００１６】
本願の別の主要な発明は、スピーカに対して音声信号を供給して音声を再生するオーディオ機器と、
前記オーディオ機器に接続される外部アダプタと、
前記外部アダプタに対して着脱自在に装着される携帯電話機と、
を具備し、前記携帯電話機からのオーディオソースの音声信号を前記外部アダプタを介して前記オーディオ機器で再生するようになし、
しかも前記外部アダプタが制御手段を備え、前記オーディオ機器のファンクションが変更されるとそれに連動して前記携帯電話機の状態を変化させ、
前記外部アダプタの制御手段によって前記オーディオ機器のモニタ上に前記携帯電話機の操作ガイドが画像表示されることを特徴とするオーディオ装置に関するものである。
【００１７】
ここで、前記オーディオ機器のファンクションが前記携帯電話機のオーディオソースの再生のファンクションに切換えられたときに、前記外部アダプタの制御手段が前記携帯電話機を制御して該携帯電話機によるオーディオソースの再生を自動的に開始してよい。また前記オーディオ機器のファンクションが前記携帯電話機のオーディオソースの再生のファンクション以外のファンクションに切換えられたときに、前記外部アダプタの制御手段が前記携帯電話機を制御して該携帯電話機のオーディオソースの再生を自動的に停止してよい。また前記オーディオ機器の電源を遮断するときに、前記外部アダプタの制御手段が前記携帯電話機のオーディオソースの再生を自動的に停止してよい。
【００１８】
また、前記外部アダプタの制御手段によって前記携帯電話機が音楽の再生を行なうときに、前記携帯電話機に取込まれた時点が新しいものから順に音楽の再生が行なわれてよい。また前記外部アダプタがオーディオソースのデータベースを有し、該データベースに取込まれている楽曲リストを購入しようとする楽曲と比較し、購入しようとする楽曲が既に購入されているときには、そのことを知らせてよい。また前記外部アダプタの前記携帯電話機の状態を変化させる動作を有効と無効とに選択する選択手段を設けてよい。
【００１９】
外部アダプタに関する主要な発明は、オーディオ機器と接続されかつ携帯電話機からの信号を前記オーディオ機器に供給する外部アダプタにおいて、
制御手段を有し、該制御手段によって前記携帯電話機の状態の変化に応じて前記オーディオ機器のファンクションまたは状態を変化させ、
しかも前記外部アダプタの前記オーディオ機器の状態を変化させる動作を有効と無効とに選択する選択手段を設けたことを特徴とする外部アダプタに関するものである。
【００２０】
ここで、前記オーディオ機器のファンクションまたは状態の変化が、前記オーディオ機器に対する電源の投入・遮断、または前記携帯電話機のオーディオソースの再生と停止させるようにしてよい。
【００２１】
外部アダプタに関する別の主要な発明は、オーディオ機器に接続されかつ携帯電話機からの信号を前記オーディオ機器に供給する外部アダプタにおいて、
制御手段を有し、該制御手段によって前記オーディオ機器の状態の変化に応じて前記携帯電話機のファンクションまたは状態を変化させ、
しかも前記外部アダプタの制御手段によって前記オーディオ機器のモニタ上に前記携帯電話機の操作ガイドが画像表示されることを特徴とする外部アダプタに関するものである。
【００２２】
ここで、前記携帯電話機のファンクションまたは状態の変化が前記携帯電話機のオーディオソースの再生と停止、または前記携帯電話機に対する電源の投入・遮断であってよい。また前記携帯電話機のオーディオソースによって楽曲の再生を行なっているときに前記携帯電話機に着信があると、前記外部アダプタの制御手段は前記携帯電話機の着信音のメロディのジャンルを再生中の楽曲のジャンルと異なる音源に変更してよい。
【００２３】
本願発明の好ましい態様は、携帯電話機を接続／制御することができ、かつ汎用の端子を用いてオーディオ機器に接続できる外部アダプタであって、次のような機能の内の少なくとも１つを具備するものである。
【００２４】
（１）外部アダプタに携帯電話機を接続したときに、オーディオ機器を自動的にＰｏｗｅｒ  Ｏｎさせる機能
（２）外部アダプタに携帯電話機を接続したときに、オーディオ機器のファンクションを携帯電話機の音楽コンテンツを再生するファンクションに自動的に変更する機能
（３）オーディオ機器のファンクションが携帯電話機を再生するファンクションに変更されたときに、再生を自動的に開始する機能
（４）オーディオ機器のファンクションが携帯電話機を再生するファンクション以外のファンクションに変更されたときに、再生を自動的に停止する機能
（５）外部アダプタから携帯電話機を外したときに、自動的にファンクションの変更、または、オーディオ機器のＰｏｗｅｒ  Ｏｆｆをする機能
（６）オーディオ機器をＰｏｗｅｒ  Ｏｆｆするときに、携帯電話機の音楽コンテンツ再生を自動的に停止する機能
（７）上記（１）〜（６）の機能の有効／無効を切換える機能
（８）上記の機能を外部アダプタ側で実現することによって、オーディオ機器側のコストアップを抑えるようにする。
【００２５】
上記のような態様によると、携帯電話機を外部アダプタに接続するだけで、オーディオ機器を自動的にＰｏｗｅｒ  Ｏｎさせることができ、オーディオ機器のファンクションを自動的に変更することができ、携帯電話機のオーディオソースを自動的に再生することができる。従ってユーザが携帯電話機の記憶手段に書込まれている音楽コンテンツの楽曲を聴くまでの操作手順を大幅に削減できるようになる。
【００２６】
またユーザが、オーディオ機器をＰｏｗｅｒ  Ｏｆｆし、オーディオ機器のファンクションを切換えるだけで、携帯電話機の再生を自動的に停止さることができるので、ユーザの操作手順が削減でき、さらに無駄な携帯電話機のバッテリ消費を避けることができる。
【００２７】
またユーザが外部アダプタから携帯電話機を外すだけで、自動的にオーディオ機器をＰｏｗｅｒ  Ｏｆｆすることができ、自動的にオーディオセットのファンクションを切換えることができるために、ユーザの操作手順を削減できる。
【００２８】
またそれぞれの機能を独立して有効／無効に切換えることができるようにすることで、様々なユーザのユースケースに応えることができる。
【００２９】
上述のような機能を外部アダプタの携帯電話機制御用マイクロコンピュータのソフトウエアによって実現することにより、オーディオ機器上での上記の機能を実現する必要がなくなる。オーディオ機器は外部アダプタの機能に依存しない形で設計することができる。よってオーディオ機器の汎用性が損なわれることがなく、コストアップが抑えられるようになる。
【発明の効果】
【００３０】
本願の主要な発明は、スピーカに対して音声信号を供給して音声を再生するオーディオ機器と、オーディオ機器に接続される外部アダプタと、外部アダプタに対して着脱自在に装着される携帯電話機と、を有し、携帯電話機からの音声信号を外部アダプタを介してオーディオ機器で再生するようになし、しかも外部アダプタが制御手段を備え、外部アダプタに対する携帯電話機の着脱に連動して制御手段がオーディオ機器の状態を変化させ、外部アダプタのオーディオ機器の状態を変化させる動作を有効と無効とに選択する選択手段を設けたものである。
【００３１】
従ってこのようなオーディオ装置によると、外部アダプタに対する携帯電話機の着脱に連動して制御手段がオーディオ機器の状態を変化させることが可能になり、これによってオーディオ機器に対するユーザの操作を省略することができ、オーディオ機器に対する電源の投入／遮断、オーディオ機器のファンクションの変更等を自動的に行なうことが可能になる。
【００３２】
本願の別の主要な発明は、スピーカに対して音声信号を供給して音声を再生するオーディオ機器と、オーディオ機器に接続される外部アダプタと、外部アダプタに対して着脱自在に装着される携帯電話機と、を具備し、携帯電話機からのオーディオソースの音声信号を外部アダプタを介してオーディオ機器で再生するようになし、しかも外部アダプタが制御手段を備え、オーディオ機器のファンクションが変更されるとそれに連動して携帯電話機の状態を変化させ、外部アダプタの制御手段によってオーディオ機器のモニタ上に携帯電話機の操作ガイドが画像表示されるようにしたものである。
【００３３】
従ってこのようなオーディオ装置によると、オーディオ機器のファンクションが変更されると外部アダプタの制御手段によって携帯電話機の状態が連動して変化することになり、携帯電話機の操作を省略できるようになり、例えばオーディオ機器のＰｏｗｅｒ  Ｏｆｆやファンクションの切換えに連動して、携帯電話機の再生を自動的に停止させ、あるいはまた携帯電話機の電源を遮断することが可能になる。
【発明を実施するための最良の形態】
【００３４】
以下本願発明を図示の実施の形態によって説明する。
１．システム構成
図３は本実施の形態のオーディオ装置の全体の構成を示すものであって、このオーディオ装置はその中心機器としてオーディオ機器１０を備えている。オーディオ機器１０は、例えば光ディスクプレーヤを中心として構成されるオーディオ機器であってよく、そのフロントパネル上にはディスプレー１１が取付けられており、その下側には複数の操作釦１２とボリュームつまみ１３とを設けるようにしている。またこのオーディオ機器１０は、左右一対のスピーカボックス１４を備え、このスピーカボックス１４内の複数のスピーカによって音声信号を再生する。
【００３５】
上記オーディオ機器１０には外部アダプタ１７が接続される。外部アダプタ１７は信号ケーブル１８を備え、この信号ケーブル１８の先端部に接続されたコネクタプラグ１９を上記オーディオ機器１０に接続するようにしている。そして外部アダプタ１７上には、上記携帯電話機２０が載置され、この携帯電話機２０からの信号が、外部アダプタ１７および信号ケーブル１８を介してオーディオ機器１０に供給されるようになっている。なお携帯電話機２０には、その前面側に操作キー２１やディスプレー２２が設けられている。
【００３６】
図４は上記オーディオ機器１０の回路構成を示しており、このオーディオ機器１０は制御用マイクロコンピュータ２６を備えている。また制御用マイクロコンピュータ２６は音源であるディスクプレーヤ２７、ラジオチューナ２８、外部アダプタ接続用端子２９等と接続されている。さらに制御用マイクロコンピュータ２６は外部音声入力部３０に接続される。そしてこの制御用マイクロコンピュータ２６によって、音声出力用セレクタ／アンプ３１を制御するようにしている。音声出力用セレクタ／アンプ３１の出力端が上記スピーカ１４に接続される。また制御用マイクロコンピュータ２６は、表示デバイス１１や入力デバイス１２、１３に接続される。
【００３７】
外部アダプタ用端子２９は外部アダプタ１７に接続されるようになっている。外部アダプタ１７は携帯電話機２０を着脱可能に装着するようにしており、携帯電話機２０と外部アダプタ１７との間で、音声入力、音声出力、制御データの授受を行なう。さらに外部アダプタ１７から電源を供給して携帯電話機２０の２次電池の充電を可能にしている。また外部アダプタ１７は、オーディオ機器１０の外部アダプタ用端子２９との間で、音声入力、音声出力、制御データの授受を行なうとともに、オーディオ機器１０から外部アダプタ１７に電源が供給されるようになっている。そしてこの外部アダプタ１７は、音声入力、音声出力、制御データを処理するための携帯電話機制御用マイクロコンピュータ３５を備えている。この携帯電話機制御用マイクロコンピュータ３５は、携帯電話機２０を制御するばかりでなく、オーディオ機器１０の制御をも行なうようにしており、極めて重要な機能を果たす制御手段を構成している。
２．全体の動作の概要
オーディオ機器１０からの操作によって、携帯電話機２０のオーディオソースである楽曲コンテンツを再生する場合を例に、概要を説明する。オーディオ機器１０に外部アダプタ１７が接続され、また外部アダプタ１７に携帯電話機２０が接続されている。オーディオ機器１０の入力デバイス１２である再生釦を押下すると、その情報が入力データとして制御用マイクロコンピュータ２６に入力される。このとき、オーディオ機器１０が外部アダプタファンクションになっている場合には、制御用マイクロコンピュータ２６は外部アダプタ１７に対して、再生用制御データを送信する。
【００３８】
オーディオ機器１０からの再生用制御データを受信した外部アダプタ１７内の携帯電話機制御用マイクロコンピュータ３５は、オーディオ機器１０からの再生用制御データを携帯電話機２０の再生用制御データに変換して携帯電話機２０に送信を行なう。これを受信した携帯電話機２０は再生を再開したことを携帯電話機制御用マイクロコンピュータ３５へ伝える。携帯電話機制御用マイクロコンピュータ３５が、携帯電話機２０が再生を開始したことをオーディオ機器１０の制御用マイクロコンピュータ２６に伝え、携帯電話機２０の音声信号をスピーカ１４から出力するために、音声出力用セレクタ／アンプ３１を携帯電話接続部に切換え、音声出力用アンプ３１で音量の調整を行なう。さらに、携帯電話機２０の再生情報を、表示データとして表示デバイス１１へ送信して表示を行なう。
【００３９】
このようなシステム構成をとり、オーディオ機器１０と外部アダプタ１７との間の信号プロトコルを普遍なものとすることで、外部アダプタ１７が携帯電話機２０ではなく、例えば携帯ミュージックプレーヤ等を接続する外部アダプタとなっても、オーディオ機器１０は全くそれを意識することがなく、外部アダプタ１７に接続された機器をコントロールすることができる。
３．外部アダプタ１７に携帯電話機２０を装着・接続したときに、オーディオ機器１０を自動的にＰｏｗｅｒ  Ｏｎさせる機能
ユーザが携帯電話機２０を外部アダプタ１７に接続する操作は、携帯電話機２０の記憶手段に記憶されている音楽を聴きたい場合であるので、オーディオ機器１０がＰｏｗｅｒ  Ｏｆｆしている状態であっても、自動的にオーディオ機器１０がＰｏｗｅｒ  Ｏｎすると、ユーザの操作が少なくなるために便利である。そこでこの実施の形態においても、携帯電話機２０を外部アダプタ１７に接続するだけで、オーディオ機器１０を自動的にＰｏｗｅｒ  Ｏｎさせる機能を備えている。
【００４０】
オーディオ機器１０の制御用マイクロコンピュータ２６は、常に外部アダプタ１７と通信を行なえる状態であるものとする。このときに、外部アダプタ１７は携帯電話機２０に対して制御データを送信している。しかし、携帯電話機２０が外部アダプタ１７に接続されていない場合には、制御データに対する返答が得られないために、外部アダプタ１７の携帯電話機制御用マイクロコンピュータ３５は、携帯電話機２０が接続されていないと判断する。
【００４１】
次に携帯電話機２０が外部アダプタ１７に接続されると、携帯電話機制御用マイクロコンピュータ３５からの制御データに対する返答を携帯電話機２０が行なうために、携帯電話機制御用マイクロコンピュータ３５は携帯電話機２０が接続されたと判断する。そして携帯電話機制御用マイクロコンピュータ３５は携帯電話機２０の接続をきっかけに、オーディオ機器１０に対してＰｏｗｅｒ  Ｏｎ要求の通知をする。Ｐｏｗｅｒ  Ｏｎ要求の通知を受取ったオーディオ機器１０側は、Ｐｏｗｅｒ  Ｏｎ処理を行なう。Ｐｏｗｅｒ  Ｏｎ処理では、オーディオ機器１０それ自体の初期処理や音声出力用セレクタ／アンプ３１に対して音声を変更されるファンクションの音を出力する処理や、Ｐｏｗｅｒ  Ｏｎ表示を行なうために表示デバイス１１に表示データを送信する等の、それぞれのデバイスに対してＰｏｗｅｒ  Ｏｎの処理を行なう。
【００４２】
このような処理によって、ユーザは、携帯電話機２０を外部アダプタ１７に接続するだけで、自動的にオーディオ機器１０をＰｏｗｅｒ  Ｏｎさせることができる。
【００４３】
図５は上記の処理の外部アダプタ１７の携帯電話機制御用マイクロコンピュータ３５の動作のフローチャートを示している。このフローチャートにおいて、携帯電話機２０に制御データを送信して返答があるかどうかの判断を行なうとともに、返答がある場合には携帯電話機２０が接続されたものと認識し、オーディオ機器１０に対してＰｏｗｅｒ  Ｏｎ要求の通知を行なう。なお携帯電話機からの返答が無い場合には、制御データを送信する動作を繰返す。
４．外部アダプタ１７に携帯電話機２０を接続したときに、オーディオ機器１０のファンクションを携帯電話機２０を再生するファンクションに自動的に変更する機能
上記の３．と同様に、ユーザが携帯電話機２０を外部アダプタ１７に接続するだけで、オーディオ機器１０のファンクションが自動的に携帯電話機２０の再生ファンクションに切換わると、ユーザの操作が少なくなるために便利である。そこで本実施の形態においては、携帯電話機２０を外部アダプタ１７に接続するだけで、オーディオ機器１０のファンクションを携帯電話機２０の再生ファンクションに自動的に変更する機能を付加している。
【００４４】
上記３．の処理と同様に、携帯電話機制御用マイクロコンピュータ３５が、携帯電話機２０が接続されたと判断し、オーディオ機器１０側の制御用マイクロコンピュータ２６に対して、携帯電話機２０の接続をきっかけに、ファンクションを携帯電話機ファンクションに変更する要求を通知する。通知を受けたオーディオ機器１０の制御用マイクロコンピュータ２６は、ファンクション変更処理を行なう。ファンクション変更処理においては、音声出力用セレクタ／アンプ３１に対して音声を変更されるファンクションの音声を出力する処理や、ファンクション変更表示を行なうための表示デバイス１１に表示データを送信する等のそれぞれのデバイスに対してファンクション変更時の処理を行なう。
【００４５】
上記の処理によって、ユーザは携帯電話機２０を外部アダプタ１７に接続するだけで、自動的にファンクションを変更することができる。
【００４６】
図６はこのような動作をフローチャートによって示している。この動作は、外部アダプタ１７の携帯電話機制御用マイクロコンピュータ３５のソフトウエアとして実現される。携帯電話機２０に対して制御データを送信し、携帯電話機２０から返答がある場合には、携帯電話機２０が外部アダプタ１７に接続されたと認識し、オーディオ機器１０にファンクション変更要求の通知を行なう。携帯電話機２０から返答が無い場合には、携帯電話機２０に対して制御データを送信する動作を繰返す。
５．オーディオ機器１０のファンクションが携帯電話機２０を再生するファンクションに変更されたときに、再生を自動的に開始する機能
ユーザがオーディオ機器１０のファンクションを携帯電話機２０を再生するファンクションに変更するときは、携帯電話機２０の記憶手段に記憶されている楽曲コンテンツを聴きたい場合である。従って携帯電話機２０の再生が自動的に開始すると、ユーザの操作が少なくなるために便利である。そこでこの実施の形態は、オーディオ機器１０のファンクションを、携帯電話機２０を再生するファンクションに変更した場合に、携帯電話機２０の再生を自動的に再生する機能を付加している。
【００４７】
オーディオ機器１０のファンクションを携帯電話機２０の楽曲コンテンツの再生のファンクションに変更する操作が行なわれると、オーディオ機器１０側の制御用マイクロコンピュータ２６がファンクション変更処理を開始する。ファンクション変更処理では、音声出力用セレクタ／アンプ３１に対して音声を変更されるファンクションの音声を出力する処理や、ファンクション変更表示を行なうために表示デバイス１１に表示データを送信する等、それぞれのデバイスに対してファンクション変更時の処理を行なう。このときに、制御用マイクロコンピュータ２６は外部アダプタ１７に対してファンクションが変更されたことを通知する。外部アダプタ１７の携帯電話機制御用マイクロコンピュータ３５は、ファンクションが外部アダプタ１７用のファンクションである場合には、携帯電話機２０に対して再生制御用データを送信する。
【００４８】
このような処理によって、ユーザは携帯電話機２０をオーディオ機器１０のファンクション変更操作をするだけで、自動的に携帯電話機２０の音楽コンテンツの再生を開始することができる。なおこの動作は、上記の３．、４．と同時に行なうことによって、携帯電話機２０を接続するだけで、自動的に携帯電話機２０による楽曲の再生が可能になる。
【００４９】
この動作は、図７のフローチャート中の左半分の部分に対応している。ファンクション変更通知を受取った携帯電話機制御用マイクロコンピュータ３５は、ファンクションが外部アダプタファンクションかどうかの判断を行なうとともに、その場合には携帯電話機２０が再生中かどうかの判断を行なう。再生中でない場合には、携帯電話機２０に対して携帯電話機制御用マイクロコンピュータ３５が再生用の制御データを送信し、携帯電話機２０から返答の信号を受信した場合に、携帯電話機２０が再生を行なったものと判断する。なお携帯電話機２０から返答が無かった場合には、所定の回数制御データを送信して返答があるかどうかの判断を行ない、所定の回数を超えた場合には、携帯電話機２０の再生に失敗したものと判断する。
６．オーディオ機器１０のファンクションが携帯電話機２０を再生するファンクション以外に変更された場合に、再生を自動的に停止する機能
オーディオ機器１０が、ＣＤを聴くためのＣＤファンクションやラジオチューナ２８を聴くためのチューナファンクションの場合には、オーディオ機器１０のそれぞれのファンクションで音声を再生する。一方携帯電話機２０の音楽コンテンツを聴く場合には、携帯電話するためのファンクションにして聴いていることになる。携帯電話機２０の音楽コンテンツを聴いている状態で、ユーザがオーディオ機器１０を他のファンクションに変更することは、別のファンクションの音楽を聴きたいという動作であるとともに、携帯電話機２０の再生された楽曲を聴くのを停止する動作である。従って携帯電話機２０の再生が自動的に停止すると、ユーザの操作が少なくなるために、便利である。そこでこの実施の形態は、オーディオ機器１０のファンクションを、携帯電話機２０を再生するファンクション以外に変更することで、携帯電話機２０の再生を自動的に停止する機能を付加している。
【００５０】
携帯電話機２０で音楽を再生しているときに、オーディオ機器１０が携帯電話機２０を再生するファンクション以外に変更する操作が行なわれた場合には、オーディオ機器１０の制御用マイクロコンピュータ２６は、上記５．の処理と同様にファンクション変更処理を開始し、外部アダプタ１７に対してファンクションが変更されたことを通知する。外部アダプタ１７の携帯電話機制御用マイクロコンピュータ３５は、ファンクションが外部アダプタ１７用のファンクション以外である場合に、携帯電話機２０に対して再生停止の制御データを送信する。上記の処理によって、ユーザはオーディオ機器１０のファンクションを変更操作するだけで、携帯電話機２０の音楽コンテンツの再生を自動的に停止することができる。従って携帯電話機２０の無駄なバッテリの消費を抑えることが可能になる。
【００５１】
この動作は、図７に示すフローチャートの右半分の動作であって、外部アダプタ１７の制御用マイクロコンピュータ３５のソフトウエアによって達成される。携帯電話機制御用マイクロコンピュータ３５がファンクション変更通知を受取ると、この通知が外部アダプタファンクションかどうかの判断を行ない、そうでない場合には携帯電話機が停止中かどうかの判断を行なうとともに、停止中でない場合には、携帯電話機２０に対して再生停止の制御データを送信する。この後携帯電話機２０から返答があったら、携帯電話機２０が停止したと認識する。なお携帯電話機２０から返答が無い場合には、所定の回数を繰返し、それでもなお返答が得られない場合に、携帯電話機２０の再生停止に失敗したものと判断する。
７．外部アダプタ１７から携帯電話機２０を外したときに、自動的にファンクションの変更、またはオーディオ機器１０のＰｏｗｅｒ  Ｏｆｆをする機能
ユーザが外部アダプタ１７から携帯電話機２０を外す場合は、携帯電話機２０の楽曲コンテンツの音楽の視聴を止める場合か、他の音楽ソースの再生を行ないたい場合である。従って、携帯電話機２０を外部アダプタ１７から外したときに、オーディオ機器１０のファンクションの変更が自動的に行なわれ、あるいはオーディオ機器１０のＰｏｗｅｒ  Ｏｆｆが自動的に行なわれる等の機能があると便利である。
【００５２】
携帯電話機２０で音楽を再生しているときに、携帯電話機２０が外されると、外部アダプタ１７の携帯電話機制御用マイクロコンピュータ３５から常に送信されている制御データに対する応答が無くなるために、携帯電話機制御用マイクロコンピュータ３５は携帯電話機２０が外されたものと認識する。次に予めユーザが設定した「携帯電話機２０が抜かれたときに行なう処理」に応じて、オーディオ機器１０にＰｏｗｅｒ  Ｏｆｆ要求や、ファンクションの変更要求通知を行なう。このような処理によって、ユーザは携帯電話機２０を外部アダプタ１７から外すだけで、自動的にオーディオ機器１０のＰｏｗｅｒ  Ｏｆｆやファンクションの変更を行なうことができる。
【００５３】
この動作は図８に示すフローチャートであって、外部アダプタ１７の携帯電話機制御用マイクロコンピュータ３５の制御動作として行なわれる。携帯電話機制御用マイクロコンピュータ３５は携帯電話機２０に対して制御データを送信し、携帯電話機２０から返答があるかどうかの判断を行ない、返答が無い場合には、外部アダプタ１７から携帯電話機２０が外されたものと判断する。なお携帯電話機２０から返答がある場合には、携帯電話機が接続されているものと認識する。
【００５４】
携帯電話機２０が外部アダプタ１７から外されたと認識した場合に、ユーザが設定した処理がオーディオ機器１０のＰｏｗｅｒ  Ｏｆｆである場合は、携帯電話機制御用マイクロコンピュータ３５がオーディオ機器１０に対してＰｏｗｅｒ  Ｏｆｆ要求通知を行なう。これに対してユーザが設定した処理がファンクション自動変更である場合には、携帯電話機制御用マイクロコンピュータ３５がファンクションの変更通知をオーディオ機器１０に対して行なう。
８．オーディオ機器１０をＰｏｗｅｒ  Ｏｆｆするときに、携帯電話機２０の音楽コンテンツ再生を自動的に停止する機能
オーディオ機器１０のＰｏｗｅｒ  Ｏｆｆをすることで、音楽の視聴を終了したいときに、携帯電話機２０の音楽再生が継続したままになっていると、携帯電話機２０の２次電池が消費され続けるために、２次電池が放電する可能性があり、ユーザにとって不親切である。そこで本実施の形態においては、オーディオ機器１０をＰｏｗｅｒ  Ｏｆｆにすることによって、携帯電話機２０の再生を自動的に停止する機能を付加している。
【００５５】
携帯電話機２０で音楽を再生しているときに、オーディオ機器１０のＰｏｗｅｒ  Ｏｆｆの操作が行なわれると、制御用マイクロコンピュータ２６がＰｏｗｅｒ  Ｏｆｆの処理をする。Ｐｏｗｅｒ  Ｏｆｆの処理においては、音声出力用セレクタ／アンプ３１に対して音声をミューティングする処理や、終了用表示を行なうために表示デバイス１１に表示データを送信する等、それぞれのデバイスに対してＰｏｗｅｒ  Ｏｆｆ時の処理を行なう。このときに制御用マイクロコンピュータ２６は、外部アダプタ１７に対してＰｏｗｅｒ  Ｏｆｆ処理中であることを通知する。外部アダプタ１７の携帯電話機制御用マイクロコンピュータ３５は、この通知を受取り、携帯電話機２０に対して再生停止用制御データを送信する。携帯電話機制御用マイクロコンピュータ３５は、携帯電話機が再生を停止したことを確認したら、Ｐｏｗｅｒ  Ｏｆｆ許可通知をオーディオ機器１０に通知する。上記の操作によって、ユーザはオーディオ機器１０のＰｏｗｅｒ  Ｏｆｆ操作をするだけで自動的に携帯電話機２０の音楽コンテンツの再生を終了することができ、無駄なバッテリ消費を抑えることが可能になる。
【００５６】
図９はこのような動作のフローチャートを示しており、外部アダプタ１７の携帯電話機制御用マイクロコンピュータ３５のソフトウエアとして実現される。この制御用マイクロコンピュータ３５がＰｏｗｅｒ  Ｏｆｆ処理通知を受取った場合には、携帯電話機２０が停止中かどうかの判断を行ない、停止中でない場合には、携帯電話機２０に再生停止の制御データを送信する。そして携帯電話機２０から返答があった場合には、携帯電話機２０が再生を停止したものと認識し、この後にオーディオ機器１０に対してＰｏｗｅｒ  Ｏｆｆ許可の通知を行なう。なお携帯電話機２０から返答が無い場合には、制御データの送信を繰返し、所定の回数を超えても携帯電話機２０から返答が無い場合には、携帯電話機２０の再生停止に失敗したと判断する。
９．３．〜８．の機能の有効／無効を切換える機能
上述の３．〜８．の機能は、その総べてが有効に作動することを望まないユーザもいる。従ってそれぞれの機能の有効／無効を切換えるメニューを設定する機能を付加している。この操作には、オーディオ機器１０側か、外部アダプタ１７側に、メニュー表示用の表示デバイスと、メニュー操作用の入力デバイスが必要になる。メニュー操作用の入力デバイスとして必要な操作釦は、
（１）メニューに入る／抜けるための「ＭＥＮＵ」釦
（２）メニュー項目を選択するための「↑」「↓」釦
（３）メニュー項目を決定するための「ＥＮＴＥＲ」釦
等が必要となる。次に以下の表によって、その項目と選択肢を示す。
【００５７】
【表１】
0004569842.tif 000002
【００５８】
上述の表のように、携帯電話機２０の接続時に自動的にオーディオ機器１０をＰｏｗｅｒ  Ｏｎさせる機能、携帯電話機２０の接続時に自動的に携帯電話ファンクションにする機能、携帯電話機ファンクションに変更されたときに、再生を自動的に開始する機能、携帯電話機ファンクション以外に変更されたときに、再生を自動的に停止する機能、携帯電話機２０を外したときに、自動的に行なう処理、Ｐｏｗｅｒ  Ｏｆｆにするときに、携帯電話機の再生を自動的に停止する機能、等のそれぞれの項目について、その機能の有効／無効を予め切換えることができるようにし、これによってユーザが好ましい動作を達成するようにしている。
１０．オーディオ機器１０に接続されたモニタに、携帯電話機２０の画像と操作ガイドを表示する
携帯電話機２０が外部アダプタ１７に装着された場合であって、オーディオ機器１０の外部モニタ４０（図１０参照）に表示されているヘルプ機能を用いて、この携帯電話機２０の画像と操作ガイドを表示するようにしている。この機能は、図１１に示すように、携帯電話機２０から、この携帯電話機２０自身の画像データを取得し、外部アダプタ１７を通してオーディオ機器１０に供給するようにしており、オーディオ機器１０に接続された外部モニタ４０によって、現在の状態に合わせて操作ガイドを映像で出力する。
１１．接続された携帯電話機２０の音楽を再生するときに、取得日が新しいものから再生する
携帯電話機２０をミュージックプレーヤーとして利用する場合には、この携帯電話機２０の半導体メモリやハードディスクに予め多数の楽曲コンテンツが書込まれている。このときにその再生を、取得日が新しいものから再生すると、興味が薄れておらず聴きたい楽曲から再生され、ユーザにとって便利である。
【００５９】
そこで図１２に示すように、外部アダプタ１７に設けられているデータベースによって、楽曲の追加日情報を取得し、追加日情報が最新の楽曲を検索する。そして検索した楽曲を指定して曲を再生するコマンドを外部アダプタ１７の携帯電話機制御用マイクロコンピュータ３５が携帯電話機２０に対して送信する。従って携帯電話機２０は、楽曲の取得日が新しいものから古いものへと順次再生を行なうことになる。
１２．音楽再生中に着信があった場合には、着信音を再生中の音楽と違うジャンルの楽曲に変更する
携帯電話機２０をオーディオソースとして利用し、その記憶媒体に記録されている楽曲コンテンツを再生している際に、携帯電話機２０に着信があると、着信音を発生する。このときに携帯電話機２０の着信音のメロディーが、再生中の音楽のメロディーと同じジャンルである場合には、着信音であるのか音楽コンテンツの再生音であるのかが判別できない場合がある。そこでこの実施の形態においては、現在再生中の楽曲のジャンル情報を取得するとともに、着信時における着信音のメロディーを、再生中の楽曲のジャンルの音源と異なるものに変更して着信の報知を行なう。従ってユーザは、再生音と着信音とを明確に判別でき、着信を確実に知ることができる。
１３．楽曲購入時に、その楽曲をすでに購入していた場合に、それを通知する
携帯電話機２０によって取得された楽曲コンテンツが多数の場合には、重複して購入し、無駄な支出をする可能性がある。従って、すでに購入している楽曲コンテンツについては、それを確実に認識し、購入しないようにすることが好ましい。
【００６０】
そこで図１４Ａに示すように、外部アダプタ１７が携帯電話機２０の楽曲データベースから曲の情報を取得するとともに、自身の楽曲データベースに取得した曲情報をマージする。
【００６１】
一方携帯電話機２０は、図１４Ｂに示すように、購入しようとしている楽曲の曲情報を取得し、外部アダプタ１７のデータベースにその楽曲が登録されているかどうかの判断を行なう。そしてその楽曲がすでに購入されている場合には、そのことを表示手段２２等によって表示し、ユーザに対して知らせる。従ってユーザは、すでに購入している楽曲コンテンツを重ねて購入する無駄を回避することができ、無用の出費が防止される。
【００６２】
以上本願発明を図示の実施の形態によって説明したが、本願発明は上記実施の形態によって限定されることなく、本願発明の技術的思想の範囲内において各種の変更が可能である。例えば上記実施の形態におけるオーディオ機器１０のシステム構成等については、各種の変更が可能である。またオーディオ機器１０それ自体がテレビジョン受像機と接続され、このテレビジョン受像機をモニタとして利用できるようにすることも可能である。
【産業上の利用可能性】
【００６３】
本願発明は、携帯電話機をオーディオソースとして利用して音楽の再生を行なうことができるオーディオ装置に利用することができる。
【図面の簡単な説明】
【００６４】
【図１】従来のオーディオ装置における携帯電話機との接続の動作を示すブロック図である。
【図２】同システムにおけるオーディオ機器および携帯電話機に対する操作を示すブロック図である。
【図３】本願発明の一実施の形態のシステム構成の概要のブロック図である。
【図４】同システムにおけるオーディオ機器の回路構成を示す回路図である。
【図５】オーディオ機器に対するＰｏｗｅｒ  Ｏｎの動作を示すフローチャートである。
【図６】オーディオ機器に対するファンクション変更の要求を行なうフローチャートである。
【図７】携帯電話機の自動再生／自動停止の動作を示すフローチャートである。
【図８】オーディオ機器のＰｏｗｅｒ  Ｏｆｆ機能とファンクション変更機能の動作を示すフローチャートである。
【図９】Ｐｏｗｅｒ  Ｏｆｆ時の携帯電話機の再生停止動作を示すフローチャートである。
【図１０】外部モニタによる携帯電話機の操作ガイドの表示を示す正面図である。
【図１１】同操作ガイドの動作を示すフローチャートである。
【図１２】追加日が新しいものから順に音楽の再生を行なう動作を示すフローチャートである。
【図１３】着信音のメロディーを再生中の音楽のジャンルと異なるジャンルのメロディーにする動作を示すフローチャートである。
【図１４】楽曲をすでに購入している場合に、二重に購入しないようにする動作を示すフローチャートである。
【符号の説明】
【００６５】
１…オーディオ機器、２…スピーカボックス、３…携帯電話機、４…信号コード、５…ボリュームつまみ、６…操作キー、１０…オーディオ機器、１１…ディスプレー、１２…操作釦、１３…ボリュームつまみ、１４…スピーカボックス、１７…外部アダプタ、１８…信号ケーブル、１９…コネクタプラグ、２０…携帯電話機、２１…操作キー、２２…ディスプレー、２６…制御用マイクロコンピュータ、２７…ディスクプレーヤ、２８…ラジオチューナ、２９…外部アダプタ用端子、３０…外部音声入出力部、３１…音声出力用セレクタ／アンプ、３５…携帯電話機制御用マイクロコンピュータ、４０…外部モニタ
【図１】
0004569842.tif 000003
【図２】
0004569842.tif 000004
【図３】
0004569842.tif 000005
【図４】
0004569842.tif 000006
【図５】
0004569842.tif 000007
【図６】
0004569842.tif 000008
【図７】
0004569842.tif 000009
【図８】
0004569842.tif 000010
【図９】
0004569842.tif 000011
【図１０】
0004569842.tif 000012
【図１１】
0004569842.tif 000013
【図１２】
0004569842.tif 000014
【図１３】
0004569842.tif 000015
【図１４】
0004569842.tif 000016